(57)【特許請求の範囲】
【請求項１】
当接電気コネクタを挿着するために、回路基板に設置する電気コネクタであって、
電気コネクタの後端部に設けられる基部を有し、基部から前方に延出されかつ平行に設置された一対の第１当接板及び第２当接板が形成されているとともに、前記各当接板上には複数の端子収容溝が設けられ、該端子収容溝が後方に延出されかつ前記基部を貫通している絶縁本体と、
前記端子収容溝内に対応して収容され、それぞれ当接コネクタと当接する当接部と、該当接部から後方に延出した固着部と、該固着部に接続され、かつ絶縁本体の外部に延出し回路基板上に対応する電気回路を接続する結合部とを含む複数の導電端子と、
前記絶縁本体の当接板の外周を被覆するようにその内部に第１収容空間を形成し、直立方向に設置された両側壁と、水平方向に設置されかつ両側壁と一体に接続した頂壁及び底壁とを有する内シールド枠体と、
前記絶縁本体の基部の外周を被覆し、かつ前方へ延出してなり、かつ前記内シールド枠体との間に第２収容空間が形成され、かつ前記第１、第２収容空間には当接コネクタの当接部分が組み込まれた外シールド枠体と、
前記内シールド枠体に隣接した絶縁本体内に組み付けられ、回路基板の対応する接地回路とを接続することで接地される接地部材と、
を含む電気コネクタにおいて、
前記絶縁本体の基部の両側の外シールド枠体に近接した位置には、垂直方向において内シールド枠体の両側壁を収容するスリットが開設され、前記スリットの中央部には外シールド枠体方向へ延在して該スリットを連通する横方向のグルーブが形成され、前記グルーブとスリットとの連通部に下方へ貫通するスロットが形成され、
前記接地部材は、前記絶縁本体のスロットに収容する本体部と、前記本体部の上端部に曲げられて形成する折曲部と、前記折曲部から水平に延出し、前記グローブに係合する第１固着部と、前記第１固着部の一側から延出するように形成され、前記スリットに収容された内シールド枠体の側壁に圧接される圧接部と、前記本体部から絶縁本体の外部へ延出され、回路基板に対応する接地回路に接続する接合部と、を含み、前記折曲部、第１固着部及び圧接部の間に、圧接部が弾性圧縮可能な指状空間が形成されることを特徴とする電気コネクタ。
【請求項２】
高速データの伝送に用いられ、ＩＥＥＥ  １３９４ｂの伝送規約に合致することを特徴とする請求項１記載の電気コネクタ。
【請求項３】
上方に位置する前記第１当接板の下表面及び下方に位置する第２当接板の上表面は、それぞれ互いに平行な複数の端子収容溝が設けられ、前記端子収容溝の端部は凸字状開口に形成され、前記導電端子が前記複数の端子収容溝に対応し収容する上列及び下列に形成され、前記導電端子の固着部は、当接部から後方に延出した第１固着部及び第１固着部から後方に折り曲げられ延出した第２固着部を含み、前記第１固着部が前記端子収容溝端部の凸字状開口に係止されたことを特徴とする請求項１記載の電気コネクタ。
【請求項４】
前記第２当接板の中央部は、第１当接板の方向に突出した突条を備えたことを特徴とする請求項３記載の電気コネクタ。
【請求項５】
前記基部は、直立方向上方に形成された上列溝及び下列溝を備え、該上列溝が下列溝の後方に形成され、前記各溝は導電端子の第２固着部と干渉しながら係合されることを特徴とする請求項３記載の電気コネクタ。
【請求項６】
前記スロットの下方は底端方向に近づくにつれて次第に広くなっていく拡張部が形成され、前記接地部材の本体部には該拡張部に干渉して係合される第２固着部を形成することを特徴とする請求項１記載の電気コネクタ。
【請求項７】
前記接地部材の第１固着部の一側縁部には、前記絶縁本体の基部のグルーブの側壁と干渉しながら係合する複数の引掛部が形成され、前記圧接部は、第１固着部の引掛部を設置しない側部の前端から本体部方向へ逆方向に延出され、また、該圧接部が内シールド枠体の側壁に当接すると同時に、折曲部に弾性的に圧接されたことを特徴とする請求項１記載の電気コネクタ。
【請求項８】
前記外シールド枠体は、基部の外周を被覆するシールド枠体、及び基部の後端面を被覆するシールド後カバーを含み、シールド枠体の後端の下部に矩形孔を有することを特徴とする請求項１記載の電気コネクタ。
【請求項９】
前記シールド後カバーの両側の下部は、シールド枠体方向へ矩形枠状板体を延出し、該板体の中間に係合片を備え、該係合片がシールド枠体上の矩形孔に係合されたことを特徴とする請求項８記載の電気コネクタ。
【発明の詳細な説明】
【０００１】
【発明の属する技術分野】
本発明は、一種の電気コネクタに関し、特に一種の高速データの伝送に用いられ、特にＩＥＥＥ  １３９４ｂの伝送標準に合致するレセプタクルコネクタに関するものである。
【０００２】
【従来の技術】
当業者が称するＩＥＥＥ  １３９４コネクタは、米国電気電子工学会（Institute  of  Electrical  and  Electronics  Engineers；IEEE）が制定された高速直列バス規格に符合した電気コネクタであって、ハードディスク、コンパクトディスクなどの大容量記憶装置の挿着口とすることができ、またプリンタ、走査装置等のコンピュータ周辺設備、及びデジタルテレビ、ビデオカメラ等の消費類電気製品にも応用される。そして、ＩＥＥＥ  １３９４−１９９５及びＩＥＥＥ  １３９４ａの順に両規格に符合したコネクタが出回り、その伝送速度及び性能などある程度向上可能である。また、近頃は、高速用、長距離用のＩＥＥＥ  １３９４ｂ規格が出品され、該規格は、基本的な１３９４規格に対して非常に大きく改善可能であり、かつ従来のＩＥＥＥ  １３９４−１９９５及びＩＥＥＥ  １３９４ａ規格を完全に兼ねられ、伝送速度が８００Mbpsまで高められ、しかも距離１００メートルで、かつデータの伝送速度が最低１００Mbps以上を保持するＵＴＰ−５（Unshielded  Twist  Paired）、プラスチックファイバ及びガラスファイバなどの長距離伝送を支持することができる。高速または長距離伝送の顕著な優位性により、ＩＥＥＥ  １３９４がＰＣ製品、通信システム及びホームネットワークの整合性インタフェースにしようとする傾向がある。例えばＩＥＥＥ  １３９４ｂ規格に符合する当該高速データ伝送の電気コネクタにとって、防電磁波障害機能が特に重要視されるものである。
【０００３】
そのために、前記電気コネクタは、一般に電磁波障害を防止するための内、外両層のシールド枠体が設けられ、シールド枠体は、接地することによって、防電磁波障害機能が増強され、静電気を放出する効果も奏することができる。また外シールド枠体に接地部材を設置しやすいので、単に外シールド枠体の底部から接地片が一体に延出することで、回路基板の接地回路に接続することができる。しかし、内シールド枠体は、電気コネクタの中央部に設置され、かつ一部が絶縁本体内に挿入されることから、その上部に内シールド枠体が接地機能を達成しようとするため、対応する接地部材を設置することは難しくなるものである。その後、当業者は、一種内シールド枠体から一体に延出する接地片を設けたが、内シールド枠体がコネクタの外部に直接に露出する部分がないので、前記接地片の存在は、必ず内シールド枠体を打ち抜き成型、または折り曲げることに難しくなり、しかも接地片と内シールド枠体の接続部は破断しやすくなるものである。
【０００４】
そのため、前記電気コネクタの内シールド枠体に接続して接地するために、如何にして接地部材をより便利に、かつ効果的に設置することは、当業者にとって技術解決上の大難問になることと考えられる。
【０００５】
【発明が解決しようとする課題】
本発明は、主に一種の接地効果及び優れた防電磁波障害機能を備えた電気コネクタを提供することを目的とする。さらに一種の内シールド枠体に接地部材を設置した電気コネクタを提供し、該接地部材が単独に製造され、取り替えやすく形成されたことを他の目的とする。
【０００６】
【課題を解決するための手段】
本発明に係る電気コネクタは、回路基板に設置することによって、当接電気コネクタの挿着に提供される。さらに、絶縁本体、複数の導電端子、内シールド枠体、外シールド枠体及び接地部材等を含み、前記絶縁本体は、電気コネクタの後端部に設けられた基部を有し、該基部から前方に延出されかつ平行に設置した一対の当接板が形成され、該当接板上に複数の端子収容溝を設け、該端子収容溝は後方に延出して前記基部を貫通する。前記の複数導電端子は、前記対応する端子収容溝中に収容され、各導電端子は、当接電気コネクタに当接する当接部と、該当接部から後方に延出する固着部と、この固着部に接続され絶縁本体の外部に延出することによって、回路基板上に対応する電気回路に接続する結合部を備える。前記内シールド枠体は、前記絶縁本体の当接板の外周を被覆し、当接板と内シールド枠体の両側壁とにより第１収容空間を囲んで形成する。前記外シールド枠体は、絶縁本体の基部外周を被覆するとともに、前方に延出してなり、さらに前記内、外シールド枠体の間に第２収容空間が形成され、これらの第１、２収容空間は、当接コネクタの当接部分を組み込むために用いられるものである。前記接地部材は、内シールド枠体に隣接した絶縁本体内に組付けられ、少なくとも内シールド枠体上に圧接する圧接部及び絶縁本体の外部に延出する結合部を含み、該結合部は、回路基板に対応した接地回路とを接続することで接地することになる。
【０００７】
【発明の実施の形態】
図１乃至図３を参照するように、本実施形態において、本発明の電気コネクタは、一種の高速にデータを伝送するために用いられ、かつＩＥＥＥ  １３９４ｂの伝送標準に符合するレセプタクルコネクタを指している。絶縁本体１、複数の導電端子５、内シールド枠体２、外シールド枠体３及び接地部材６などを含む。
【０００８】
前記絶縁本体１は、電気コネクタの後端部に設けられた基部１３を有し、該基部１３から前方に延出して、平行に設置された一対の当接板１１１、１１２が形成されている。上方に位置する第１当接板１１１の下表面及び下方に位置する第２当接板１１２の上表面にそれぞれ複数の端子収容溝１２を設け、該端子収容溝１２が後方向へ延出して前記基部１３を貫通するとともに、その末端部に凸字状開口１３４を開設する。第２当接板１１２の中央部から前記第１当接板１１１の方向に突条１１３が突出している。前記基部１３の後端部の下部は、前記突状１１３に対して直立する方向に複数の溝１３５が形成され、前記溝１３５の上方に位置する基部１３の後端部も、対応して溝１３５より後方にある複数の溝１３９を形成しており、これらの溝１３５、１３９は導電端子５の対応部位を収容するためのものである。また、基部１３の両側部の外シールド枠体３に近接した位置には、内シールド枠体２を収容するためのスリット１３１が基部１３の直立方向に設置されている。該スリット１３１の中央部には外シールド枠体３方向へ延在してスリット１３１を連通する横方向のグルーブ１３２が形成され、該グルーブ１３２とスリット１３１との連通部に、さらに下方へ貫通するスロット１３３を形成し、かつ該スロット１３３の下方には底端部に行くに従って広くなる拡張部１３３１が形成される。
【０００９】
図３に示すように、導電端子５が上列及び下列に形成され、当接電気コネクタ（図示せず）に当接する当接部５２と、該当接部５２から後方へ延出された第１固着部５１と、該第１固着部５１から後方で曲げて延出された第２固着部５３と、この第２固着部５３に連続して下方から基部１３の外部に延出することによって、回路基板に対応した電気回路に接続する接合部５４とを含む。本実施形態において、該接合部５４は、表面実装技術（ＳＭＴ）を採用し回路基板に溶着するものである。前記当接部５２は、前記端子収容溝１２内に収容され、第１固着部５１は前記端子収容溝の末端部の凸字形開口１３４と係合し、第２固着部５３が基部１３の後端部に形成された溝１３５、１３９に干渉しながら係合されることになる。よって、導電端子５が絶縁本体１内に固着されることになる。
【００１０】
図１乃至図３を参照するように、内シールド枠体２及び外シールド枠体３は金属板材から一体に打ち抜いてなるものである。前記内シールド枠体２は当接板１１１、１１２の外周を被覆し、直立方向に設置された両側壁２１と、水平方向に設置され、かつ両側壁と一体に接続する頂壁２２と底壁２３を含み、前記当接板１１１、１１２と両側壁２１の間に第１収容空間４が形成される。前記側壁２１の後端部は、絶縁本体１の基部１３の後端部の両側に設けられたスリット内に嵌設され、前記外シールド枠体３はシールド枠体３ａ及びシールド後カバー３ｂを含み、前記シールド枠体３ａは、基部１３の外周を被覆しかつ前方へ延出してなり、該シールド枠体３ａと内シールド枠体２との間に第２収容空間７を形成している。前記シールド枠体３ａは、直立方向に設置された両側壁３２及び水平方向に設置された両側壁とを接続する頂壁３３及び底壁３４を含み、前記両側壁３２の後端下部は矩形孔３２１を有し、該矩形孔３２１の下方に突耳状接地片３１が一体に延出され、回路基板上の対応する接地回路に接続される。前記頂壁３３の中央部に凹所３７を形成する。シールド後カバー３ｂは、基部１３の後端面を遮蔽し、その下部の両側から前方に矩形枠状板体３８を延出し、該板体３８の中間部に前記矩形孔３２１内に係止する係合片３８１が形成される。
【００１１】
前記内シールド枠体２の両側壁２１の中央部には、後方から前方に曲げられて延出しかつ第２収容空間７内に位置した指状弾性片２４が設けられ、外シールド枠体３の両側壁３２は内シールド枠体２の指状弾性片２４に対応する位置にも両指状弾性片３５を設置し、かつ前方から後方へ曲げられて延出され、かつ第２収容空間７内に位置決めされる。前記弾性片２４、３５は、当接コネクタ（図示せず）が挿入された時、当接コネクタの当接部分に圧接し、より良好に位置決めすることができる。側壁３２の後部の上方に設けられた係合アーム３６は、内方に曲げられて基部１３の後端部の両側に係合される。
【００１２】
図４及び図５に示すように、前記各接地部材６は、直立方向に設置された線状本体部６３が設けられ、本体部６３の上端部が曲げられ折曲部６６を形成し、該折曲部６６から第１固着部６２が水平方向に延出され、該第１固着部６２の側縁部に複数の引掛部６２１を形成することによって、基部１３の横方向グルーブ１３２の側壁に干渉しながら係合することになる。また第１固着部６２は、引掛部６２１を設置しない一側部の前端部に本体部６３の逆方向へ指状圧接部６１を延出することで、内シールド枠体２に圧接することができる。圧接部６１、第１固着部６２及び折曲部６６の間に、圧接部６１が弾性圧縮可能な指状空間６７が形成されている。本体部６３は、下方に曲げられ延在し、回路基板に対応する接地回路に接続する接合部６５が形成され、本実施形態において表面実装技術（ＳＭＴ）により回路基板に溶着される。本体部６３は該接合部６５から一定距離に位置決めされた部位に両側に突出部を設けた第２固着部６４が形成されている。
【００１３】
前記接地部材６は、絶縁本体１の後方から基部１３の両側の対応位置に組み込まれた後、その本体部６３が前記基部１３の縦方向スロット１３３内に収容され、第１固着部６２はグルーブ１３２に係合し、圧接部６１がスリット１３１内に収容された内シールド枠体２の側壁２１の後端部上に圧接され、弾性押圧により前記折曲部６６に押圧することになり、また第２固着部６４が前記縦方向のスロット１３３の拡張部１３３１内に干渉しながら係合される。従って、接地部材６が絶縁本体１の基部１３内に一定に組付けられ、かつ内シールド枠体２に密に接触することで、より優れた接地効果、及び強い防電磁波障害機能を達成することが可能で、なお該接地部材６が単独に成形されたものであるため、たとえ損害しても取り替えやすいものである。
【００１４】
前記の実施の形態は単なる本発明のより良い実施の形態であって、本発明の技術を熟知しているものが本発明に基づいてなしうる細部の修正或いは変更など、いずれも本発明の特許請求の範囲に属するものとする。
【図面の簡単な説明】
【図１】  本発明の電気コネクタの斜視組立図である。
【図２】  本発明の電気コネクタの正面図である。
【図３】  本発明の電気コネクタがシールド後カバーを組付けなかった場合の背面から見る斜視図である。
【図４】  図２のＩＶ−ＩＶ線に沿う断面図である。
【図５】  本発明の電気コネクタの接地部材の斜視図である。
【符号の説明】
１  絶縁本体
２  内シールド枠体
３  外シールド枠体
３ａ  シールド枠体
３ｂ  シールド後カバー
４  第１収容空間
５  導電端子
６  接地部材
７  第２収容空間
１２  端子収容溝
１３  基部
２１，３２  側壁
２２，３３  頂壁
２３，３４  底壁
２４，３５  指状弾性片
３１  接地片
３６  係合アーム
３７  凹所
３８  矩形枠状板体
５１  第１固着部
５２  当接部
５３  第２固着部
５４  結合部
６１  圧接部
６２  第１固着部
６３  本体部
６４  第２固着部
６５  結合部
６６  折曲部
６７  指状空間
１１１  第１当接板
１１２  第２当接板
１１３  突条
１３１  スリット
１３２  グルーブ
１３３  スロット
１３４  開口
１３５，１３９  溝
３２１  矩形孔
３８１  係合片
６２１  引掛部
１３３１  拡張部
【図１】
0004057894.tif 000002
【図２】
0004057894.tif 000003
【図３】
0004057894.tif 000004
【図４】
0004057894.tif 000005
【図５】
0004057894.tif 000006